(57)【特許請求の範囲】
【請求項１】
高架下又は周辺に建物等を有する高架鉄道の磁気遮蔽システムであって、高架の防音壁に磁気遮蔽材を用い、高架橋脚の構造材を磁気遮蔽材として利用して高架橋脚の周囲を覆うと共に、高架構スラブの上に鉄板を布設し該鉄板の上にレールを配置して前記鉄板に引き下げ線を電気的に接続して接地線とすることにより、レールからの漏洩電流のバイパス回路を構成したことを特徴とする高架鉄道の磁気遮蔽システム。
【請求項２】
前記建物の天井部に磁気遮蔽材を用いたことを特徴とする請求項１記載の高架鉄道の磁気遮蔽システム。
【請求項３】
前記建物の天井部に用いる磁気遮蔽材は、屋上の防水層の上に敷く鉄或いは珪素鋼板、又はデッキプレート付ＰＣ版とすることを特徴とする請求項２記載の高架鉄道の磁気遮蔽システム。
【発明の詳細な説明】
【０００１】
【発明の属する技術分野】
本発明は、高架下又は周辺に建物等を有する高架鉄道の磁気遮蔽システムに関する。
【０００２】
【従来の技術及び発明が解決しようとする課題】
自動車や電車による交通網が発達し、その交通量が増大するのに伴って、電車では、踏み切りによる道路の渋滞を軽減し、また、騒音による周囲への影響を軽減するため、さらには、土地の有効利用を図るため、高架方式の採用、或いは高架方式への切り換えが多くなっている。高架鉄道では、高架下を駅や店舗その他の建物、駐車場、駐輪場等のスペースとして利用することができる。
【０００３】
通常、新幹線以外の電車は、直流１５００Ｖが利用されており、その電流は、架線に流れ、さらに架線から軌道（レール）、高架橋脚、大地に流れることにより、これらの電流により周囲に発生する磁界の影響が問題となる。特に、電車の発車時に流れる起動電流や停車直前に流れる回生電流により相当強い磁界が発生する。この磁界の影響により、高架鉄道の場合には、高架下や周辺に建物等において、例えばコンピュータやパソコンでは、ＣＲＴの画面に歪みや乱れ、色ずれなどが発生し、その他様々な問題が生じている。
【０００４】
【課題を解決するための手段】
本発明は、上記課題を解決するものであって、高架鉄道における高架下やその周辺の建物等などに対して架線から流れる電流により発生する磁界の影響を防ぐものである。
【０００５】
そのために本発明は、高架下又は周辺に建物等を有する高架鉄道の磁気遮蔽システムであって、高架の防音壁に磁気遮蔽材を用い、高架橋脚の構造材を磁気遮蔽材として利用して高架橋脚の周囲を覆うと共に、高架構スラブの上に鉄板を布設し該鉄板の上にレールを配置して前記鉄板に引き下げ線を電気的に接続して接地線とすることにより、レールからの漏洩電流のバイパス回路を構成したことを特徴とするものである。
【０００６】
また、前記建物の天井部に磁気遮蔽材を用いたことを特徴とし、前記建物の天井部に用いる磁気遮蔽材は、屋上の防水層の上に敷く鉄或いは珪素鋼板、又はデッキプレート付ＰＣ版とすることを特徴とするものである。
【０００７】
【発明の実施の形態】
以下、本発明の実施の形態を図面を参照しつつ説明する。
図１は本発明に係る高架鉄道の磁気遮蔽システムの実施の形態を示す図であり、１、９、１２は磁気遮蔽材、２は防音壁、３はレール及び床版、４は電車、５は架線、６は鉄筋、７はアース線、８は高架橋脚、１１は建物、１３は接地板を示す。
【０００８】
図１において、磁気遮蔽材１は、高架の防音壁２に磁気遮蔽用としてレール及び床版３の上を走行する電車４、架線５を囲むようにして設けるものであり、電車４には、架線５から給電され、その電流は、レール及び床版３に流れる。磁気遮蔽材９は、高架橋脚８の周囲を覆うように設けるものであり、例えば高架橋脚８の構造材（ＣＦＴ）を利用している。アース線７は、その高架橋脚８の中を通し、高架構スラブの鉄筋６と電気的に接続し、高架構スラブの鉄筋６からアース線７、接地板１３を通して大地への漏洩電流を流すものである。磁気遮蔽材１２は、高架下に建てられた建物１１の天井部に設けた、例えば屋上の防水層の上に敷く鉄或いは珪素鋼板、又はデッキプレート付ＰＣ版である。
【０００９】
上記の構成において、磁気遮蔽材１、９、１２は、架線５から電車４を通してレール及び床版３に流れる電流及びアース線を通して大地に流れる漏洩電流によって発生する磁界から建物１１の居住空間を遮蔽している。これらのうち、磁気遮蔽材１は、架線５から流れる電流によって発生する磁界から建物１１の居住空間を遮蔽するために、これらを囲うように高架の防音壁２と共に防音壁兼用として設け、磁気遮蔽材９は、高架橋脚８の中のアース線７に流れる大地への漏洩電流によって発生する磁界から建物１１の居住空間を遮蔽している。そして、磁気遮蔽材１２は、高架構スラブの鉄筋６に流れる電流によって発生する磁界から建物１１の居住空間を遮蔽している。
【００１０】
図１から明らかなように架線５から電車４を通してレール及び床版３に流れる電流によって発生する磁界▲１▼は、架線５を中心として、つまり電車４の進行方向に対してその周りに発生するのに対し、アース線７に流れる大地への漏洩電流によって発生する磁界▲３▼は、むしろ架線５の延長方向とは直角な高架橋脚８の中のアース線７を中心としてその周りに発生する。そして、高架構スラブの鉄筋６に流れる電流によって発生する磁界▲２▼は、漏洩電流が高架橋脚８の中のアース線７に流れ込むので、その鉄筋６を中心としてその周りに発生する。したがって、それぞれの磁界の方向は異なるが、本発明では、その方向の磁界に合わせて磁気遮蔽材１、９、１２を設けているので、高架全体を完全に磁気遮蔽材で覆うようにしなくても磁気遮蔽が実現できる。
【００１１】
図２は本発明に係る高架鉄道の磁気遮蔽システムの他の実施の形態を示す図であり、２１はレール、２２は枕木、２３は充填コンクリート、２４は防振装置、２５はフローティングスラブ、２６は鉄板、２７は引き下げ線、２８は高架構スラブを示す。
上記のように高架橋脚８の構造材（ＣＦＴ）を磁気遮蔽材９として利用するには、構造材であるＣＦＴの鉄部に電流が流れないようにしなければならないが、ＣＦＴが上部の高架構スラブに食い込み、鉄筋６と電気的に接触してしまう場合がある。そのため、図２に示すように鉄板２６と引き下げ線２７により低抵抗のバイパス回路を構成する。鉄板２６は、高架構スラブ２８の上に布設するものであり、この鉄板２６の上に防振装置２４、フローティングスラブ２５と共にレール２１、枕木２２、充填コンクリート２３が配置される。引き下げ線２７は、この鉄板２６と電気的に接続して大地に漏洩電流を流す銅線や鉄線であり、図１に示すアース線７と接続してもよいし、アース線７に代えて用いてもよい。また、図１に示す鉄筋６とアース線７の回路と共に、鉄板２６と引き下げ線２７の回路を設けてもよいし、鉄筋６とアース線７の回路に代えて鉄板２６と引き下げ線２７の回路のみを設けるようにしてもよい。このような低抵抗のバイパス回路を設けることにより、漏洩電流は、レール２１から低抵抗のバイパス回路を構成する鉄板２６、引き下げ線２７を通して大地に流れ、ＣＦＴが上部の高架構スラブに食い込み、鉄筋６と電気的に接触しても、ＣＦＴに漏洩電流が流れないようにすることができる。このことにより、漏洩電流により発生する磁気のＣＦＴの鉄部における遮蔽効果を高めることができる。
【００１２】
なお、本発明は、上記実施の形態に限定されるものではなく、種々の変形が可能である。例えば上記実施の形態では、建物の屋上の防水層の上に磁気遮蔽材を敷いたが、屋根や天井部、或いは下のフロアを遮蔽する場合には、その上のフロアの床スラブ等に磁気遮蔽材を用いるようにしてもよい。また、必要に応じて高架スラブの下面に磁気遮蔽材を用いるようにしてもよい。さらに、鉄板は、高架構スラブの上に配置して漏洩電流が引き下げ線２７を通して大地に流れるものであればよいことを考慮するなら、その要求に対応できる他の板状体を含むものであることはいうまでもない。
【００１３】
【発明の効果】
以上の説明から明らかなように、本発明によれば、高架の防音壁、高架橋脚の周囲、さらに建物の天井部のそれぞれを磁気遮蔽材で覆い、高架スラブの上に鉄板を布設して引き下げ線に電気的に接続してアースし、さらには高架スラブの鉄筋をアース線に電気的に接続するので、これらの回路を通して漏洩電流を大地に流すことができ、高架橋脚の周囲の磁気遮蔽材に漏洩電流が流れるのを防ぐことができる。したがって、高架鉄道に流れる電流によって発生する磁界をそれぞれ磁気遮蔽材に集中させることができ、高架下やその周辺の空間を磁気の低い空間として構成することができる。その結果、高架下やその周辺のスペースを利用した建物等に対して高架鉄道から磁気遮蔽を実現することができ、建物等における磁気の影響を防ぐことができる。
【図面の簡単な説明】
【図１】本発明に係る高架鉄道の磁気遮蔽システムの実施の形態を示す図である。
【図２】本発明に係る高架鉄道の磁気遮蔽システムの他の実施の形態を示す図である。
【符号の説明】
１、９、１２…磁気遮蔽材、２…防音壁、３…レール及び床版、４…電車、５…架線、６…鉄筋、７…アース線、８…高架橋脚、１１…建物、１３…接地板、２１…レール、２２…枕木、２３…充填コンクリート、２４…防振装置、２５…フローティングスラブ、２６…鉄板、２７…引き下げ線、２８…高架構スラブ
【図１】
0003588741.tif 000002
【図２】
0003588741.tif 000003